(57)【要約】      （修正有）【課題】臥位の使用者の身体部位に対してピンポイントで垂直方向に押し上げ、身体部位に刺激を与えて身体の緊張を解きながら効果的なストレッチを行うことのできるストレッチ補助装置を提供する。【解決手段】臥位の使用者の身体を支持する身体支持体２と、身体支持体内に並設された複数のエアバッグ３と、エアバッグに空気を給排気する給排気装置４と、給排気装置とエアバッグとを接続する給排気ホース５とからなり、身体支持体の使用者の身体と接する上面が、低反発合成樹脂素材で形成され、エアバッグは、身体支持体の上面に対して垂直方向に連結された複数の袋体が連結部で夫々貫通した多層構造に形成され、給排気装置から空気が供給されると垂直方向に膨張し、使用者の身体部位を押し上げる。【選択図】図１
0003192076.tif 000002
【実用新案登録請求の範囲】
【請求項１】
臥位の使用者の身体を支持する身体支持体と、当該身体支持体内に並設された複数のエアバッグと、当該エアバッグに空気を給排気する給排気装置と、当該給排気装置とエアバッグとを接続する給排気ホースとからなるストレッチ補助装置であって、
前記身体支持体の使用者の身体と接する上面は、低反発合成樹脂素材で形成され、
前記エアバッグは、前記身体支持体の上面に対して垂直方向に連結された複数の袋体が連結部で夫々貫通した多層構造に形成され、前記給排気装置から空気が供給されると垂直方向に膨張し、使用者の身体部位を押し上げることを特徴とするストレッチ補助装置。
【請求項２】
前記身体支持体の上面の低反発合成樹脂素材は、１０ｍｍ〜５０ｍｍの厚みで形成され、高分子計器株式会社製のＡＳＫＥＲ・Ｆ型による硬度の測定値が１０度〜５０度の値になることを特徴とする請求項１に記載のストレッチ補助装置。
【請求項３】
前記身体支持体の下面は高反発合成樹脂素材で形成されており、当該高反発合成樹脂素材は、２０ｍｍ〜６０ｍｍの厚みで形成され、高分子計器株式会社製のＡＳＫＥＲ・Ｆ型による硬度の測定値が３０度〜６０度の値になり、前記低反発合成樹脂素材よりも測定値が高くなることを特徴とする請求項１又は２のいずれかに記載のストレッチ補助装置。
【請求項４】
前記エアバッグは、前記多層構造の最下層の袋体が前記給排気ホースを介して前記給排気装置に接続され、当該給排気装置から空気が供給されると最下層の袋体から上方向に順に膨張し、使用者の身体部位を押し上げることを特徴とする請求項１乃至３のいずれかに記載のストレッチ補助装置。
【請求項５】
前記エアバッグは、二層構造であることを特徴とする請求項１乃至４のいずれかに記載のストレッチ補助装置。
【請求項６】
前記身体支持体の上面からの前記エアバッグの膨張時の高さが、約５ｍｍ〜１５０ｍｍであることを特徴とする請求項１乃至５のいずれかに記載のストレッチ補助装置。
【請求項７】
前記エアバッグは、前記身体支持体内において、使用者の肩甲骨、腰部、骨盤、大腿部及び足先部に対応する位置に並設されていることを特徴とする請求項１乃至６のいずれかに記載のストレッチ補助装置。
【請求項８】
前記身体支持体において、使用者の頭部又は首部近傍に対応する位置に枕用エアバッグが配設され、前記給排気ホースを介して前記給排気装置に接続されていることを特徴とする請求項１乃至７のいずれかに記載のストレッチ補助装置。
【請求項９】
前記身体支持体に使用者の身体部位を左右から内側方向に押圧可能な一対の側面エアバッグを配設したことを特徴とする請求項１乃至８のいずれかに記載のストレッチ補助装置。
【考案の詳細な説明】
【技術分野】
【０００１】
本考案は、使用者が臥位等で効果的に心地良くストレッチを行うことのできるストレッチ補助装置に関する。
【背景技術】
【０００２】
従来、使用者が臥位でストレッチやマッサージを行うことのできる装置としては、以下のものが提供されている。
【０００３】
例えば、マット部の上面に一対のストレッチ用エアバッグを設け、当該一対のストレッチ用エアバッグの対向する辺のみを固定縁端部として固定し、当該ストレッチ用エアバッグにエアーを給排気して膨縮させて、当該一対のストレッチ用エアバッグの各外側辺である自由縁端部側をマット部の上面から突出させて身体の部位を押し上げることにより、当該身体の部位のストレッチをすることのできるエアーマッサージ機が提供されている（特許文献１）。
【０００４】
また、マット本体表面の長手方向に複数のエアバッグを並設設置し、当該エアバッグに接続したホースによって空気を給排気して、当該エアバッグを膨張収縮させて身体部位をマッサージするとともに、当該複数のエアバッグの設置間隔にマット本体の上面に向けてエアーを噴出するエアーダクトを配設し、当該エアーダクトから湿度の低い温風を供給して適温適湿に維持することにより、快適な睡眠を得ることのできるエアーマッサージ装置が提供されている（特許文献２）。
【先行技術文献】
【特許文献】
【０００５】
【特許文献１】特開平１１−３４２１６６号公報
【特許文献２】特開２００６−８７８２０号公報
【考案の概要】
【考案が解決しようとする課題】
【０００６】
しかしながら、特許文献１に記載のエアーマッサージ機及び特許文献２に記載のエアーマッサージ装置は、図１０（ａ）の側面視断面図に示すように、夫々のエアバッグ１０１が断面視楕円形状で、空気の供給により膨張しても使用者の身体部位に接するマット１０２の上面は緩やかにカーブする傾斜面となってしまう。そのため、当該エアバッグ１０１によって身体部位の一定の範囲を緩やかに押し上げることでストレッチ等を行うことはできるものの、当該エアバッグ１０１による身体部位への押圧力が分散してしまい、使用者の身体部位に対してピンポイントで垂直方向に押し上げ、当該身体部位に刺激を与えて身体の緊張を解きながら効果的なストレッチを行うことができないという問題があった。
【０００７】
また、一般的に市販されているストレッチマット等においては、当該マットの上面が高反発合成樹脂素材で形成されていることが多く、そのため、図１０（ｂ）の側面視断面図に示すように、マット内部にエアバッグ２０１を設け、当該エアバッグ２０１から上面に向かって垂直方向に押し上げるマッサージを行うにしても、当該高反発合成樹脂素材製のマット２０２の上面が、緩やかな傾斜面状になってしまい、使用者の身体部位に対してピンポイントで垂直方向に押し上げ、当該身体部位に刺激を与えて身体の緊張を解きながら効果的なストレッチを行うことができないという問題があった。
【０００８】
そこで、本考案は、臥位の使用者の身体部位に対してピンポイントで垂直方向に押し上げ、身体部位に刺激を与えて緊張を解きながら効果的なストレッチを行うことのできるストレッチ補助装置を提供することを課題とする。
【課題を解決するための手段】
【０００９】
上記課題を解決するために、本考案は次のように構成した。すなわち、本考案に係る請求項１に記載のストレッチ補助装置は、臥位の使用者の身体を支持する身体支持体と、当該身体支持体内に並設された複数のエアバッグと、当該エアバッグに空気を給排気する給排気装置と、当該給排気装置とエアバッグとを接続する給排気ホースとからなるストレッチ補助装置であって、前記身体支持体の使用者の身体と接する上面は、低反発合成樹脂素材で形成され、前記エアバッグは、前記身体支持体の上面に対して垂直方向に連結された複数の袋体が連結部で夫々貫通した多層構造に形成され、前記給排気装置から空気が供給されると垂直方向に膨張し、使用者の身体部位を押し上げることを特徴としている。
【００１０】
また、前記請求項２に記載のストレッチ補助装置は、前記身体支持体の上面の低反発合成樹脂素材が、１０ｍｍ〜５０ｍｍの厚みで形成され、高分子計器株式会社製のＡＳＫＥＲ・Ｆ型による硬度の測定値が１０度〜５０度の値になることを特徴としている。
【００１１】
また、前記請求項３に記載のストレッチ補助装置は、前記身体支持体の下面が高反発合成樹脂素材で形成されており、当該高反発合成樹脂素材が、２０ｍｍ〜６０ｍｍの厚みで形成され、高分子計器株式会社製のＡＳＫＥＲ・Ｆ型による硬度の測定値が３０度〜６０度の値になり、前記低反発合成樹脂素材よりも測定値が高くなることを特徴としている。
【００１２】
また、前記請求項４に記載のストレッチ補助装置は、前記エアバッグが、前記多層構造の最下層の袋体が前記給排気ホースを介して前記給排気装置に接続され、当該給排気装置から空気が供給されると最下層の袋体から上方向に順に膨張し、使用者の身体部位を押し上げることを特徴としている。
【００１３】
また、請求項５に記載のストレッチ補助装置は、前記エアバッグが、二層構造であることを特徴としている。
【００１４】
また、請求項６に記載のストレッチ補助装置は、前記身体支持体の上面からの前記エアバッグの膨張時の高さが、約５ｍｍ〜１５０ｍｍであることを特徴としている。
【００１５】
また、請求項７に記載のストレッチ補助装置は、前記エアバッグが、前記身体支持体内において、使用者の肩甲骨、腰部、大腿部及び足先部に対応する位置に並設されていることを特徴としている。
【００１６】
また、請求項８に記載のストレッチ補助装置は、前記身体支持体において、使用者の頭部又は首部近傍に対応する位置に枕用エアバッグが配設され、前記給排気ホースを介して前記給排気装置に接続されていることを特徴としている。
【００１７】
さらに、請求項９に記載のストレッチ補助装置は、前記身体支持体に使用者の身体部位を左右から内側方向に押圧可能な一対の側面エアバッグを配設したことを特徴としている。
【考案の効果】
【００１８】
本考案に係る請求項１乃至６に記載のストレッチ補助装置によれば、エアバッグを多層構造にしたことにより、且つ、上面を低反発合成樹脂素材で形成したことにより、当該身体支持体の上面が前記エアバッグの膨張後の形状に沿って垂直方向に押し上げられるため、使用者の身体部位にピンポイントで垂直方向に押し上げ、当該身体部位に刺激を与えて身体の各部位の緊張を解きながら効果的なストレッチを行うことができる。
【００１９】
また、請求項７に記載のストレッチ補助装置によれば、使用者の肩甲骨、腰部、骨盤、大腿部及び足先部に対して、ピンポイントで垂直方向に押し上げ、当該身体部位に刺激を与えて身体の緊張を解きながら効果的なストレッチを行うことができる。
【００２０】
また、請求項８に記載のストレッチ補助装置によれば、上記効果の他、給排気可能な枕用エアバッグを設けたことにより、空気の給排気を行って枕用エアバッグの高さ調節を行うことができ、また、当該枕用エアバッグを使用者の頭部又は首部の形状に沿った形状にし、使用者個々に適した枕の形状とすることができる。
【００２１】
さらに、請求項９に記載のストレッチ補助装置によれば、身体部位の側面、特に、身体を支持する際に最も負担の掛かるであろう腰部を、立位ではなく、リラックス可能な臥位で、且つ、一対の側面エアバッグによって腰部の緊張を解きながら、ストレッチを効果的に行うことができる。
【図面の簡単な説明】
【００２２】
【図１】本考案に係るストレッチ補助装置を示す外観斜視図である。
【図２】当該ストレッチ補助装置を示す側面視断面図である。
【図３】当該ストレッチ補助装置に係るエアバッグを示す側面視拡大断面図である。
【図４】当該エアバッグが膨張した状態を示す側面視拡大断面図である。
【図５】第二実施例のストレッチ補助装置に係るエアバッグを示す側面視拡大断面図である。
【図６】第三実施例のストレッチ補助装置に係るエアバッグを示す側面視拡大断面図である。
【図７】第四実施例のストレッチ補助装置を示す外観斜視図である。
【図８】第五実施例のストレッチ補助装置を示す外観斜視図である。
【図９】当該ストレッチ補助装置を示す断面展開図である。
【図１０】従来のエアマットのエアバッグの膨張時の形状を示す側面時拡大断面図である。
【考案を実施するための形態】
【００２３】
以下、図面に基づいて本考案を具体的に説明する。まず、図１は、本考案に係るストレッチ補助装置１を示す外観斜視図であり、図２は、当該ストレッチ補助装置１を示す側面視断面図である。当該ストレッチ補助装置１は、マット状の身体支持体２、当該身体支持体２に内蔵され、肩甲骨、腰部、骨盤、大腿部及び足先部に対応する位置に配設された複数のエアバッグ３、当該複数のエアバッグ３に空気を給排気する給排気装置４と、当該給排気装置４及び複数のエアバッグ３間で空気を給排出する給排気ホース５とからなる。
【００２４】
身体支持体２は、マット状に形成され、当該マット状の上面、すなわち、使用者の身体と接触する面が低反発ウレタンフォーム等の低反発合成樹脂素材で形成されている。なお、身体支持体２は、マット、敷布団等のその他敷物、リクライニングを倒したマッサージチェアの身体接触面部や座椅子等、臥位又は略臥位の使用者の身体を支持するものを含むものである。なお、当該身体支持体２の下面側は、高反発ウレタンフォーム等の高反発合成樹脂素材で形成されている。
【００２５】
本実施例において、前記低反発合成樹脂素材は、１０ｍｍ〜５０ｍｍの厚みで形成され、高分子計器株式会社製のＡＳＫＥＲ・Ｆ型による硬度の測定値が１０度〜５０度の値になるように形成されている。また、前記高反発合成樹脂素材は、２０ｍｍ〜６０ｍｍの厚みで形成され、高分子計器株式会社製のＡＳＫＥＲ・Ｆ型による硬度の測定値が３０度〜６０度の値になり、前記低反発合成樹脂素材よりも測定値が高くなるように形成されている。
【００２６】
エアバッグ３は、図３の断面図に示すように、最下層の第一袋体３ａと当該第一袋体３ａの上端の第二袋体３ｂとから形成され、当該第一袋体３ａ及び第二袋体３ｂは、連結部３ｃを介して貫通して連結されている。図３（ａ）は、当該エアバッグ３が膨張した状態を示す図である。当該エアバッグ３は、給排気装置４から空気が供給されると、まず、第一袋体３ａが膨張し始め、当該第一袋体３ａにある程度空気が充満した後、第二袋体３ｂに連結部３ｃを介して空気が供給され、当該第二袋体３ｂが膨張する。一方、図３（ｂ）は、当該エアバッグ３が収縮した状態を示す図である。当該膨張した状態のエアバッグ３は、給排気装置４によって給排気ホース５を介して排気され、第一袋体３ａから収縮する。なお、図示の通り、給排気ホース５は、第一袋体３ａに接続されている。
【００２７】
給排気装置４は、具体的に図示して説明はしないが、給排気手段と当該給排気手段による給排気を制御する制御手段とを備え、前記複数のエアバッグ３を夫々膨張又は収縮させるために前記制御手段により制御された膨縮パターンに従って空気を供給又は排気させるものである。
【００２８】
給排気ホース５は、複数のエアバッグ３の各エアバッグ３と前記給排気装置３とを個々に接続している。各エアバッグ３には、前記制御手段による膨縮パターンに応じて前記給排気装置４から当該給排気ホース５を介して夫々空気が給排気される。
【００２９】
図４は、ストレッチ補助装置１のエアバッグ３が空気の供給を受けて膨張した状態を示す側面視拡大断面図である。図示はしないが、前記給排気ホース５は、第一袋体３ａに接続され、前記給排気装置４から空気を供給された第一袋体３ａが膨張するととともに、第一袋体３ａから連結部３ｃを介して、第二袋体３ｂにも空気が供給されて第二袋体３ｂが膨張する。また、前記の通り、身体支持体２の上面は、低反発ウレタンフォーム等の低反発合成樹脂素材にて形成されており、図１０（ｂ）で示した従来のエアマット上面のように広がらずに、エアバッグ３の膨張時の形状に沿って垂直方向に押し上げられる。そのため、使用者は、エアバッグ３の押し上げによる押圧を身体支持体２の上面によって分散されることなく、使用者の身体部位に刺激を与えて身体の緊張を解きながら効果的なストレッチを行うことができるようになる。なお、当該エアバッグ３の膨張時の高さは、約１２０ｍｍであり、使用者の嗜好に応じて約５０ｍｍ〜１２０ｍｍの高さに変更してもよい。
【００３０】
このように、エアバッグ３を二層構造に構成し、且つ、身体支持体２の上面を低反発合成樹脂素材で構成したことにより、当該身体支持体２の上面が前記エアバッグ３の膨張後の形状に沿って垂直方向に押し上げられるため、使用者の身体部位をピンポイントで垂直方向に押し上げ、当該身体部位に刺激を与えて身体の緊張を解きながら効果的なストレッチを行うことができる。
【００３１】
次に、第二実施例のストレッチ補助装置１について説明する。図５は、当該第二実施例のストレッチ補助装置１を示す側面視拡大断面図である。なお、図中の符号５は、給排気ホース５の接続箇所を簡略的に示すものであり、当該断面図に現実に表れるものではない。当該第二実施例のストレッチ補助装置１は、前記第一実施例のものとは異なり、エアバッグ３が最下層の第一袋体３ａ、中間層エアバッグ３ｂ及び最上層の第三袋体３ｄを夫々連結部３ｃを介して連結した三層構造に構成されている。
【００３２】
このようにエアバッグ３を三層構造に構成したことにより、前記第一実施例の二層構造のエアバッグ３よりも高くエアバッグ３を膨張させることができ、より押圧力を増してピンポイントで垂直方向に押し上げて、当該身体部位に刺激を与えて身体の緊張を解きながら効果的なストレッチを行うことができる。すなわち、当該エアバッグ３の多層構造は、二層以上に構成すれば、その垂直方向の押圧力を使用者の嗜好に応じて種々変更可能である。
【００３３】
また、当該第二実施例に係るエアバッグ３において、給排気ホース５は、最下層の第一袋体３ａに接続されている。したがって、最下層の第一袋体３ａ、中間層の第二袋体３ｂから最上層の第三袋体３ｄへと、下方から空気が供給され順々に膨張するため、使用者は、当該エアバッグ３によって下方から徐々に押し上げられる感覚で身体の緊張を解きながら効果的なストレッチを行うことができる。
【００３４】
次に、第三実施例のストレッチ補助装置１について説明する。図６は、当該第三実施例のストレッチ補助装置１を示す側面視拡大断面図である。なお、図中の符号５は、給排気ホース５の接続箇所を簡略的に示すものであり、当該断面図に現実に表れるものではない。当該第三実施例のストレッチ補助装置１は、前記第二実施例のものとは異なり、中間層の第二袋体３ｂに給排気ホース５が接続されている。このように、中間層の第二袋体３ｂに給排気ホースを接続したことにより、当該中間層の第二袋体３ｂに空気が供給されて膨張した後に、連結部３ｃを介して同時に最下層の第一袋体３ａ及び最上層の第三袋体３ｄに空気が供給されて膨張する。これにより、使用者は、下方から徐々に押し上げられる感覚でストレッチを行う前記第二実施例とは異なり、第一袋体３ａと第三袋体３ｄとが同時に膨張する感覚でストレッチを行うことができる。
【００３５】
すなわち、多層構造のエアバッグ３のうち、いずれのエアバッグ３に給排気ホース５を接続するかは使用者の嗜好に応じて種々変更可能であり、エアバッグ３の種々の膨張方法を変更設定できるため、使用者は、種々異なる押し上げ感覚でストレッチを行うことができる。
【００３６】
また、この他にも、異なる押し上げ感覚でストレッチを行うためには、エアバッグ３のサイズや形状を変更してもよい。例えば、図示はしないが、エアバッグ３を構成する第一袋体３ａ乃至第三袋体３ｄの各サイズを夫々異なるものに構成したり、最上層の第三袋体３ｄの上面に突起を設けて使用者に刺激を与えながらストレッチを行わせたり等、エアバッグ３のサイズや形状を変更することができる。
【００３７】
さらに、図示はしないが、前記各実施例において、連結部３ｃの通気幅の直径を調節することにより、第一袋体３ａ、第二袋体３ｂ又は第三袋体３ｄに空気を供給し易くしたり、逆に空気を送り難くしたりすることで異なる感覚で効果的なストレッチを行うことができる。すなわち、当該通気幅の直径を大きくすれば、第一袋体３ａから第二袋体３ｂ及び第三袋体３ｄへと空気が通り易くなるため、エアバッグ３全体で膨張し易くなり、使用者の身体を空気の供給量に従って徐々に押し上げるのに対し、当該通気幅の直径を小さくすれば、空気が通り難くなるため、第一袋体３ａにある程度空気が充満した後でなければ、第二袋体３ｂに空気が供給されず、使用者の身体を各袋体ごとに段階を以って押し上げる感覚で効果的なストレッチを使用者の嗜好に応じて行うことができる。なお、当該本各実施例では、当該連結部３ｃの通気幅は、直径約３ｍｍ〜６ｍｍである。
【００３８】
次に、第四実施例のストレッチ補助装置１について説明する。図７は、当該第四実施例のストレッチ補助装置１を示す外観斜視図である。当該ストレッチ補助装置１には、前記実施例のストレッチ補助装置１とは異なり、使用者の頭部又は首部近傍に対応する位置に枕用エアバッグ６が設けられている。当該枕用エアバッグ６は、給排気装置４と給排気ホース５を介して接続されており、空気の給排気により膨張又は収縮させることが可能に構成されている。なお、図示はしないが、当該枕用エアバッグ６も、前記エアバッグ３と同様に多層構造に構成してもよい。
【００３９】
このように、膨張又は収縮可能な枕用エアバッグ６を設けたことにより、当該枕用エアバッグ６を膨張又は収縮させれば、使用者の嗜好に応じて枕の高さを調節することができ、また、当該枕用エアバッグを使用者の頭部又は首部の形状に沿った形状にし、使用者個々に適した枕の形状とすることができる。
【００４０】
次に、第五実施例のストレッチ補助装置１について説明する。図８は、当該第五実施例のストレッチ補助装置１を示す外観斜視図であり、図９は、当該ストレッチ補助装置１を示す断面展開図である。当該ストレッチ補助装置１は、使用者が身体支持体２の上面に仰向けで背臥位になった際、使用者の身体部位、特に腰部に対応する位置に、使用者の身体部位の側面を左右から挟み込んで夫々押圧する一対の側面エアバッグ７が配設されている。当該一対の側面エアバッグ７は、夫々複数の袋体を積み重ねて、当該各袋体の内側を身体支持体２に固定し、当該固定箇所を中心として扇状に膨張するように形成されている。このように構成した一対の側面エアバッグ７により、最下の袋体から順に空気を供給すれば、当該一対の側面エアバッグ７が扇状に膨張して内側方向への押圧力が生じる。これにより、一対の側面エアバッグ７は、使用者の身体部位の側面、特に腰部を左右から押圧し、当該身体部位の緊張を解くことができる。なお、図９では、当該一対の側面エアバッグ７が使用者の腰部に対応する位置に配設されている。
【００４１】
また、図示はしないが、前記扇状に膨張する側面エアバッグ７の他、蛇腹の筒状に形成した一対の側面エアバッグ７であって、身体支持体２の上面に対して平行に膨張するように配設し、当該一対の側面エアバッグ７の夫々下端外側を固定して空気を供給することにより、内側方向に膨張して使用者の身体部位の側面を押圧する一対の側面エアバッグ７を配設してもよい。この他、内側方向への押圧力が生じ得る一対の腰用エアバッグ７であれば、種々の態様に変更可能である。
【００４２】
これにより、身体部位の側面、特に、人が身体を支持する際に最も負担の掛かるであろう腰部を、立位ではなく、リラックス可能な臥位で、且つ、一対の側面エアバッグ７によって腰部の緊張を解きながら、使用者は、ストレッチを効果的に行うことができる。
【００４３】
また、図示はしないが、使用者の腰部だけでなく、例えば、臀部、大腿部、胸部、脹脛部等の側面を左右から押圧可能に一対の側面エアバッグ７を各身体部位に対応させた位置に配設し、使用者の当該身体部位の緊張を解くようにしてもよい。したがって、前記実施例の肩甲骨、腰部、骨盤、大腿部及び足先部に対応する位置に配設された複数のエアバッグ３のうち、いずれかを除去して一対の側面エアバッグ７を配設したり、エアバッグ３と一対の側面エアバッグ７との配設位置を調節して両者を組み合わせて配設したりすることもできる。これにより、使用者は、自身の嗜好に合せて柔軟に、身体部位の緊張を解きながら効果的にストレッチを行うことができる。
【００４４】
また、前記実施例の他にも、身体支持体２の内部にヒーター線を配設し、使用者の身体部位を温めて緊張を解き、効果的なストレッチを補助可能なマットレスやホットカーペットとすることもできる。
【産業上の利用可能性】
【００４５】
本考案に係るストレッチ補助装置１は、リクライニングを倒したソファ等の椅子類又はその他臥位で使用可能なマット状のもの全般で利用することができる。
【符号の説明】
【００４６】
１    ストレッチ補助装置
２    身体支持体
３    エアバッグ
３ａ  第一袋体
３ｂ  第二袋体
３ｃ  連結部
３ｄ  第三袋体
４    給排気装置
５    給排気ホース
６    枕用エアバッグ
７    一対の側面エアバッグ
【図１】
0003192076.tif 000003
【図２】
0003192076.tif 000004
【図３】
0003192076.tif 000005
【図４】
0003192076.tif 000006
【図５】
0003192076.tif 000007
【図６】
0003192076.tif 000008
【図７】
0003192076.tif 000009
【図８】
0003192076.tif 000010
【図９】
0003192076.tif 000011
【図１０】
0003192076.tif 000012